(57)【特許請求の範囲】
【請求項１】
外周側(1A)又は内周側(1B)に設けられた多数の極歯(2)を有する輪状ステータ(1)と、前記輪状ステータ(1)の両端面(1E,1F)に設けられた輪状絶縁カバー(4)を介し前記各極歯(2)に巻回されたステータ巻線(5)と、前記輪状ステータ(1)の両端面側(1E,1F)に位置する前記輪状絶縁カバー(4)と一体に形成された端子保持部(11)と、前記端子保持部(11)に設けられた複数の端子ピン(6a)と、前記輪状ステータ(1)の外周側(1A)又は内周側(1B)に設けられたロータ(15,15a)とを備え、
前記端子保持部(11)には、複数のハーネス(12a)を有するハーネス体(12)又はコネクタ体(25)が着脱自在であることを特徴とするレゾルバ構造において、前記端子保持部(11)は、前記輪状ステータ(1)の一部に板厚方向に貫通する貫通孔(10)内に形成され、前記各端子ピン(6a)は前記端子保持部(11)の両端面(1a,1b)を貫通して前記両端面(1a,1b)から外方へ突出していることを特徴とするレゾルバ構造。
【請求項２】
前記輪状ステータ(1)の両端面(1E,1F)には、極歯(2)に巻回された前記ステータ巻線(5)を覆うための一対の第１、第２輪状巻線カバー(13,14)が設けられ、前記第１輪状巻線カバー(13)の一部には、前記ハーネス体(12)又はコネクタ体(25)の一部を覆うための覆い凹部(13a)が形成され、前記第２輪状巻線カバー(14)の一部には、前記端子保持部(11)の各端子ピン(6a)を覆うための凹状をなす端子ピン覆い部(14a)が形成されていることを特徴とする請求項１記載のレゾルバ構造。
【請求項３】
前記輪状絶縁カバー(4)に一体に形成された位置決め突起(21)は、前記輪状ステータ(1)に形成された複数の開口(20)のうちの１個の開口(20)又は複数の開口(20)を貫通して軸方向に沿って配設されていることを特徴とする請求項１又は２記載のレゾルバ構造。
【発明の詳細な説明】
【技術分野】
【０００１】
本発明は、レゾルバ構造に関し、特に、輪状ステータに設けた共通の端子保持部により、ハーネス体とコネクタ体の何れも共通して接続することができ、共通の輪状ステータを得るための新規な改良に関する。
【背景技術】
【０００２】
従来、用いられていたこの種のレゾルバ構造としては、例えば、特許文献１の構成を挙げることができる。
すなわち、図９はコネクタを有するハーネス接続構成、図１０はコネクタのみのコネクタ接続構成である。
図９において、符号１で示されるものは輪状ステータであり、この輪状ステータ１の内周縁には多数の極歯２がスロット３を介して所定角度間隔で内方に突出して形成されている。
【０００３】
前記輪状ステータ１の両端面１Ｅ、１Ｆには、前記各極歯２の形状を一体状に有する輪状絶縁カバー４が別体又はインサート成形による一体構成によって形成されており、前記各極歯２には、前記輪状絶縁カバー４を介してステータ巻線５が巻回されている。
【０００４】
前記各極歯２に巻回されたステータ巻線５は、バリアブルリラクタンス型レゾルバの場合では、励磁巻線５ａと出力巻線５ｂとからなり、このステータ巻線５に接続されたハーネス７はコネクタ６に接続されて信号の入出力が行われている。
【０００５】
図１０の構成は、前述のステータ巻線５が直接コネクタ６に接続され、このコネクタ６のコネクタピン６ａは前記ステータ巻線５に直接接続されていると共に、前記コネクタ６は、前記輪状絶縁カバー４と一体に形成されて輪状ステータ１の端面１上に位置している。
尚、他の残余の構成は、図９の構成と同一であるため、同一部分には同一符号を付し、その説明は省略する。
【先行技術文献】
【特許文献】
【０００６】
【特許文献１】特開平１０−３０９０６７号公報
【発明の概要】
【発明が解決しようとする課題】
【０００７】
従来のレゾルバ構造は、以上のように構成されていたため、次のような課題が存在していた。
すなわち、従来構成の輪状ステータでは、ハーネス接続構成とコネクタ接続構成とで、輪状ステータに一体又は別体で取り付ける輪状絶縁カバーの形状を変更しなければならず、少なくとも二種類の異なる輪状ステータの構成を製作する必要があり、製作上、コスト上、管理上等で著しく多くの不都合が存在していた。
【課題を解決するための手段】
【０００８】
本発明によるレゾルバ構造は、外周側又は内周側に設けられた多数の極歯を有する輪状ステータと、前記輪状ステータの両端面に設けられた輪状絶縁カバーを介し前記各極歯に巻回されたステータ巻線と、前記輪状ステータの両端面側に位置する前記輪状絶縁カバーと一体に形成された端子保持部と、前記端子保持部に設けられた複数の端子ピンと、前記輪状ステータの外周側又は内周側に設けられたロータとを備え、前記端子保持部には、複数のハーネスを有するハーネス体又はコネクタ体が着脱自在である構成において、前記端子保持部は、前記輪状ステータの一部に板厚方向に貫通する貫通孔内に形成され、前記各端子ピンは前記端子保持部の両端面を貫通して前記両端面から外方へ突出している構成であり、また、前記輪状ステータの両端面には、極歯に巻回された前記ステータ巻線を覆うための一対の第１、第２輪状巻線カバーが設けられ、前記第１輪状巻線カバーの一部には、前記ハーネス体又はコネクタ体の一部を覆うための覆い凹部が形成され、前記第２輪状巻線カバーの一部には、前記端子保持部の各端子ピンを覆うための凹状をなす端子ピン覆い部が形成されている構成であり、また、前記輪状絶縁カバーに一体に形成された位置決め突起は、前記輪状ステータに形成された複数の開口のうちの１個の開口又は複数の開口を貫通して軸方向に沿って配設されている構成である。
【発明の効果】
【０００９】
本発明によるレゾルバ構造は、以上のように構成されているため、次のような効果を得ることができる。
すなわち、外周側又は内周側に設けられた多数の極歯を有する輪状ステータと、前記輪状ステータの両端面に設けられた輪状絶縁カバーを介し前記各極歯に巻回されたステータ巻線と、前記輪状ステータの両端面側に位置する前記輪状絶縁カバーと一体に形成された端子保持部と、前記端子保持部に設けられた複数の端子ピンと、前記輪状ステータの外周側又は内周側に設けられたロータとを備え、前記端子保持部には、複数のハーネスを有するハーネス体又はコネクタ体が着脱自在であることにより、１個の輪状ステータをハーネス接続型とコネクタ接続型に共用させることができ、金型コスト等を大幅に節約できると共に前記端子保持部は、前記輪状ステータの一部に板厚方向に貫通する貫通孔内に形成され、前記各端子ピンは前記端子保持部の両端面を貫通して前記両端面から外方へ突出していることにより、輪状ステータの何れの端面側にもハーネス体又はコネクタ体を接続することができる。
また、前記輪状ステータの両端面には、極歯に巻回された前記ステータ巻線を覆うための一対の第１、第２輪状巻線カバーが設けられ、前記第１輪状巻線カバーの一部には、前記ハーネス体又はコネクタ体の一部を覆うための覆い凹部が形成され、前記第２輪状巻線カバーの一部には、前記端子保持部の各端子ピンを覆うための凹状をなす端子ピン覆い部が形成されていることにより、輪状絶縁カバーのみの変換によって、ハーネス体とコネクタ体の何れの構成にも対応することができる。
また、前記輪状絶縁カバーに一体に形成された位置決め突起は、前記輪状ステータに形成された複数の開口のうちの１個の開口又は複数の開口を貫通して軸方向に沿って配設されていることにより、レゾルバ本体を他の機器に装着する場合の取付角度位置決めを容易とすることができる。
【図面の簡単な説明】
【００１０】
【図１】本発明のアウタロータ型でハーネス型のレゾルバ構造を示す概略分解斜視図である。
【図２】図１の輪状ステータを示す平面図である。
【図３】図２のＡ−Ａ断面図である。
【図４】図３の右側面図である。
【図５】図３の要部の拡大断面図である。
【図６】本発明のアウタロータ型でコネクタ型のレゾルバ構造を示す概略分解斜視図である。
【図７】本発明のインナロータ型でコネクタ型のレゾルバ構造を示す概略分解斜視図である。
【図８】図７の輪状ステータを示す斜視図である。
【図９】従来のハーネス型の輪状ステータを示す平面図である。
【図１０】従来のコネクタ型の輪状ステータを示す平面図である。
【発明を実施するための形態】
【００１１】
本発明は、輪状ステータに設けた共通の端子保持部により、ハーネス体とコネクタ体の何れにも共通して接続することができ、共通の輪状ステータを有するレゾルバ構造を提供することを目的とする。
【実施例】
【００１２】
以下、図面と共に本発明によるレゾルバ構造の好適な実施の形態について説明する。
尚、従来例と同一又は同等部分については同一符号を付し、図１．図６及び図７については、網点部分は図２のような極歯が形成されているが、概略図面としているため省略している。
【００１３】
図１において符号１で示されるものは輪状ステータであり、この輪状ステータ１の貫通孔１０に形成された端子保持部１１は、この輪状ステータ１の両端面１Ｅ，１Ｆに一体成形又は別体で形成された周知の輪状絶縁カバー４の一部に一体に形成されている。
前記端子保持部１１には、複数の端子ピン６ａが一体に成形され、この各端子ピン６ａには図２で示すステータ巻線５がからげて接続されている。
【００１４】
前記端子保持部１１には、複数本のハーネス１２ａを束ねて有するハーネス体１２がコネクタ式に接続されており、この輪状ステータ１の両端面１Ｅ，１Ｆには、ステータ巻線５を覆うための第１、第２輪状巻線カバー１３，１４が装着され、各輪状巻線カバー１３，１４の覆い凹部１３ａ及び端子ピン覆い部１４ａは前記端子ピン保持部１１を両面側から挟持して覆っている。
尚、図２〜図４では、一部のみにステータ巻線５を施し、他は省略している。
【００１５】
次に、図２〜図４は、前述の図１の輪状ステータ１をより具体的に示す構成図であり、前記輪状ステータ１の外周には、アウタロータとしてのロータ１５と対応するための多数の極歯２が外方へ向けて外周側１Ａに所定角度間隔で突出して形成されている。
【００１６】
前記端子保持部１１は、輪状ステータ１の一部に板厚方向に貫通して形成された貫通孔１０を貫通した状態（図５に示す）で成形されており、各極歯２にはこの端子保持部１１と一体の輪状絶縁カバー４を介してステータ巻線５が各端面１Ｅ，１Ｆ上に巻回されている。
【００１７】
前記端子保持部１１にインサート成形された各端子ピン６ａは、この端子保持部１１の各端面１ａ，１ｂから各々外側へ向けて貫通突出している。
前記輪状ステータ１の前記輪状絶縁カバー４の内側位置には、長手状の複数の開口２０が形成され、各開口２０のうちの１個の開口２０又は図示しない複数の開口２０には、前記輪状絶縁カバー４と一体に成形された位置決め突起２１が軸方向に貫通して設けられ、この輪状ステータ１を他の機器（図示せず）に取付ける際の位置決めの機能を有するように構成されている。
【００１８】
図６は、図１のアウタロータ型でコネクタ型の構成を示しており、前記端子保持部１１に対して外部コネクタ接続部２４を有するコネクタ体２５が着脱自在に設けられている。
尚、他の部分については、図１の構成と同一であるため、その説明は省略するものとする。
【００１９】
図７は、本発明のインナロータ型でコネクタ型の構成を示しており、図６のアウタロータ型でコネクタ型の構成と同一部分には、同一符号を付し、その説明は省略し、異なる部分についてのみ説明する。
すなわち、輪状ステータ１の内周側１Ｂには、インナロータ型としての多数の極歯１２が図９及び図１０で示されるように内方へ突出して形成され、ロータ１５ａが内設されている。
さらに、コネクタ体２５は、前記端子保持部１１に装着され、図８で示されるように、一対の輪状巻線カバー１３，１４が輪状ステータ１の両端面１Ｅ，１Ｆに装着されている。
従って、本発明のレゾルバ構造における輪状ステータの構成は、ハーネス型及びコネクタ型の両方に対して共通とすることができる。
【産業上の利用可能性】
【００２０】
本発明によるレゾルバ構造は、コネクタ型及びハーネス型の何れにも対応可能で、輪状ステータのみの共通仕様として大量生産が可能となる。
【符号の説明】
【００２１】
１    輪状ステータ
１Ａ    外周面
１Ｂ    内周面
１Ｅ，１Ｆ    端面
２    極歯
３    スロット
４    輪状絶縁カバー
５    ステータ巻線
６    コネクタ
６ａ    端子ピン
１０    貫通孔
１１    端子保持部
１２    ハーネス体
１３    第１輪状巻線カバー
１３ａ    覆い凹部
１４    第２輪状巻線カバー
１４ａ    端子ピン覆い部
１５、１５ａ    ロータ（インナロータ、アウタロータ）
２０    開口
２１    位置決め突起
２５    コネクタ体
【図１】
0005604666.tif 000002
【図２】
0005604666.tif 000003
【図３】
0005604666.tif 000004
【図４】
0005604666.tif 000005
【図５】
0005604666.tif 000006
【図６】
0005604666.tif 000007
【図７】
0005604666.tif 000008
【図８】
0005604666.tif 000009
【図９】
0005604666.tif 000010
【図１０】
0005604666.tif 000011